(57)【特許請求の範囲】
【請求項１】
（イ）アウタータンクとインナータンクとの二重タンク構造をなして該インナータンク内部に便器の洗浄水を収容し、該洗浄水を排水弁の開弁により放出する洗浄タンクと
（ロ）該洗浄タンクの上部に設けられた手洗鉢及び該手洗鉢より起立する形態の手洗吐水管と
（ハ）該洗浄タンクの内部に配設され、該洗浄タンク及び前記手洗吐水管に給水を行うボールタップと
（ニ）該ボールタップから延び出して、先端部が前記手洗吐水管に接続され、該前記ボールタップからの給水を該手洗吐水管に導く導水管と
を有する洗浄タンク装置において、
前記インナータンクの上端を蓋で覆蓋しない開放形状となすとともに、該インナータンクの左右方向所定箇所において該インナータンクの前壁部と後壁部とに跨って橋架部材を架け渡して、それら前壁部と後壁部とを該橋架部材にて部分的に連結するとともに、前記導水管を保持する導水管ホルダと、前記手洗鉢の底部の排水孔からの排水を該インナータンクの壁部の内面に案内して該排水の落下音の発生を防止する消音部材とを前記橋架部材に一体に成形したことを特徴とする洗浄タンク装置。
【請求項２】
（イ）アウタータンクとインナータンクとの二重タンク構造をなして該インナータンク内部に便器の洗浄水を収容し、該洗浄水を排水弁の開弁により放出する洗浄タンクと
（ロ）該洗浄タンクの上部に設けられた手洗鉢及び該手洗鉢より起立する形態の手洗吐水管と
（ハ）該洗浄タンクの内部に配設され、該洗浄タンク及び前記手洗吐水管に給水を行うボールタップと
（ニ）該ボールタップから延び出して、先端部が前記手洗吐水管に接続され、該ボールタップからの給水を該手洗吐水管に導く導水管と
を有する洗浄タンク装置において、
前記インナータンクの上端を蓋で覆蓋しない開放形状となすとともに、該インナータンクの左右方向所定箇所において該インナータンクの前壁部と後壁部とに跨って橋架部材を架け渡して、それら前壁部と後壁部とを該橋架部材にて部分的に連結するとともに、前記導水管を保持する導水管ホルダと、前記手洗鉢の底部の排水孔からの排水を前記洗浄タンク内部に配設された大洗浄及び小洗浄切替用の水受カップの外に導く導水部材とを前記橋架部材に一体に成形したことを特徴とする洗浄タンク装置。
【請求項３】
請求項１，２の何れかにおいて、前記橋架部材の前後両端部にはフックが設けてあり、それらフックが前記インナータンクの前壁部と後壁部とに掛止してあることを特徴とする洗浄タンク装置。
【発明の詳細な説明】
【０００１】
【発明の属する技術分野】
この発明は便器の洗浄水を内部に収容し、排水弁を開いてその洗浄水を放出して便器の洗浄を行う洗浄タンク装置に関する。
【０００２】
【従来の技術】
従来より、この種洗浄タンク装置として図８に示すようなものが用いられている。同図において２００は洗浄タンクで、その上部に蓋を兼用した手洗鉢２０２が設けられている。
この手洗鉢２０２からは手洗吐水管２０４が起立する形態で設けられている。手洗吐水管２０４からの手洗水は手洗鉢２０２に落下した後、手洗鉢２０２の底部の排水孔を通じて洗浄タンク２００内部に落下する。
【０００３】
２０６は洗浄タンク２００内部に配設されたボールタップで、浮玉２０８の昇降に連動して給水及び給水停止を行う。
即ち、浮玉２０８が下降するとボールタップ２０６の弁部が開かれて吐水管２１０を通じ洗浄タンク２００内部に給水が行なわれる。
また一方洗浄タンク２００内部の水面の上昇につれて浮玉２０８が上昇し、そしてその水面が満水状態になると、ボールタップ２０６の弁部が閉じて給水を停止する。
【０００４】
このボールタップ２０６からはまた、蛇腹管から成る導水管２１２が延び出していて、その先端部が手洗吐水管２０４に接続され、洗浄タンク２００への給水時に、併せてこの導水管２１２を通じて手洗吐水管２０４への給水が行われる。
【０００５】
洗浄タンク２００の底部にはフロート弁（排水弁）２１４が設けられている。このフロート弁２１４は球状の弁体２１６と、弁座２１８とを有しており、その弁体２１６に対して、洗浄タンク２００の壁部２００Ａに設けられた洗浄ハンドル２２０と一体に回転するＬ字状の作用レバー２２２の先端部が、鎖２２４を介して連結されている。
而してこのフロート弁２１４は、洗浄ハンドル２２０が回転操作されると弁体２１６が弁座２１８から浮き上がって弁部を開放し、ここにおいて洗浄タンク２００内の洗浄水が排出口２２６を通じて便器に向け放出される。
【０００６】
この例においては、フロート弁２１４における弁体２１６の上側に水受カップ２２８が一体に昇降する状態で連設されている。
ここで水受カップ２２８は大洗浄及び小洗浄切替用のもので、この水受カップ２２８内部が空の状態の下では弁体２１６が弁座２１８に着座して弁部を閉じるまでの時間が長く、従ってこの間に排出口２２６から洗浄水が大量に放出される。
【０００７】
一方水受カップ２２８内部に水が溜まった状態の下では、水受カップ２２８が錘としての作用をなし、これによって弁座２１８から浮き上がった状態の弁体２１６が速やかに下降して弁座２１８に着座する。従ってこの場合には洗浄水の放出量が少なくなる。
尚この水受カップ２２８は、オーバーフロー管２３０をガイドとして弁体２１６とともに上下動する。
【０００８】
図９に示しているように、この例の洗浄タンク装置は導水管ホルダ２３２を有している。導水管ホルダ２３２は嵌合孔２３４を有しており、その嵌合孔２３４に蛇腹管から成る導水管２１２の先端部を嵌入させ、これを保持している。
この導水管ホルダ２３２は、アーム２３６の端部にフック２３８を有しており、そのフック２３８を洗浄タンクの壁部２００Ａに掛止させている。即ちフック２３８による掛止によって洗浄タンクに装着されている。
【０００９】
ところでこの種洗浄タンク装置にあっては、図１０に示しているように、手洗鉢２０２の底部の排水孔２４０からの排水が洗浄タンク２００内の洗浄水中に直接落下すると、そこで落水音を発生する。この落水音は耳障りな騒音となる。
【００１０】
そこで図１０に示しているように従来にあっては、排水孔２４０からの排水を、アウタータンク２００−１の内側に設けられたインナータンク２００−２の壁部の内面に導くための消音部材２４２を設け、これによって排水孔２４０からの排水の落水音の発生を防止することが行われている。
【００１１】
【発明が解決しようとする課題】
しかしながらこのように導水管ホルダ２３２及び消音部材２４２を別々に構成して洗浄タンク２００の壁部に装着するようになした場合、洗浄タンク装置に対する部品点数が増えて、洗浄タンク装置がそれだけ高コストとなる。
また図１０に示しているように洗浄タンク２００がアウタータンク２００−１とインナータンク２００−２との二重タンク構造のものの場合にはインナータンク２００−２が樹脂製とされているが、この場合インナータンク２００−２が成形後において変形を生じ易く、このことによって以下のような不都合が生じていた。
【００１２】
即ち、インナータンク２００−２が変形を起すと浮玉の形状や配置によっては、その浮玉の昇降時に浮玉がインナータンク２００−２の内面に接して抵抗を生じ、これによって浮玉の円滑な昇降運動が阻害されるといった問題が発生する。或いはまた、インナータンク２００−２内部には様々な部品が所定の位置関係で組み付けられているが、その際にインナータンク２００−２が変形を生じると、それら内部の部品とインナータンク２００−２との相対的な位置関係が予定した位置からずれたり狂ったりしてしまい、更にはまた洗浄ハンドルと一体に回転運動する作用レバーの先端が、場合よってインナータンク２００−２の壁に干渉するようになったり、或いはまたインナータンク２００−２の変形によってタンク容量が変化してしまうなどの様々な不都合が発生する。
【００１３】
【課題を解決するための手段】
本発明の洗浄タンク装置はこのような課題を解決するために案出されたものである。
而して請求項１のものは、アウタータンクとインナータンクとの二重タンク構造をなして該インナータンク内部に便器の洗浄水を収容し、該洗浄水を排水弁の開弁により放出する洗浄タンクと該洗浄タンクの上部に設けられた手洗鉢及び該手洗鉢より起立する形態の手洗吐水管と該洗浄タンクの内部に配設され、該洗浄タンク及び前記手洗吐水管に給水を行うボールタップと該ボールタップから延び出して、先端部が前記手洗吐水管に接続され、該前記ボールタップからの給水を該手洗吐水管に導く導水管とを有する洗浄タンク装置において、前記インナータンクの上端を蓋で覆蓋しない開放形状となすとともに、該インナータンクの左右方向所定箇所において該インナータンクの前壁部と後壁部とに跨って橋架部材を架け渡して、それら前壁部と後壁部とを該橋架部材にて部分的に連結するとともに、前記導水管を保持する導水管ホルダと、前記手洗鉢の底部の排水孔からの排水を該インナータンクの壁部の内面に案内して該排水の落下音の発生を防止する消音部材とを前記橋架部材に一体に成形したことを特徴とする。
【００１４】
請求項２のものは、アウタータンクとインナータンクとの二重タンク構造をなして該インナータンク内部に便器の洗浄水を収容し、該洗浄水を排水弁の開弁により放出する洗浄タンクと該洗浄タンクの上部に設けられた手洗鉢及び該手洗鉢より起立する形態の手洗吐水管と該洗浄タンクの内部に配設され、該洗浄タンク及び前記手洗吐水管に給水を行うボールタップと該ボールタップから延び出して、先端部が前記手洗吐水管に接続され、該ボールタップからの給水を該手洗吐水管に導く導水管とを有する洗浄タンク装置において、前記インナータンクの上端を蓋で覆蓋しない開放形状となすとともに、該インナータンクの左右方向所定箇所において該インナータンクの前壁部と後壁部とに跨って橋架部材を架け渡して、それら前壁部と後壁部とを該橋架部材にて部分的に連結するとともに、前記導水管を保持する導水管ホルダと、前記手洗鉢の底部の排水孔からの排水を前記洗浄タンク内部に配設された大洗浄及び小洗浄切替用の水受カップの外に導く導水部材とを前記橋架部材に一体に成形したことを特徴とする。
【００１５】
請求項３のものは、請求項１，２の何れかにおいて、前記橋架部材の前後両端部にはフックが設けてあり、それらフックが前記インナータンクの前壁部と後壁部とに掛止してあることを特徴とする。
【００１６】
【作用及び発明の効果】
上記のように請求項１のものは、インナータンクの上端を開放形状のままとなし、そして左右方向所定箇所においてインナータンクの前壁部と後壁部とに跨って橋架部材を架け渡し、その橋架部材によって前壁部と後壁部とを部分的に連結するとともに、その橋架部材に導水管ホルダと消音部材とを一体に成形したもので、この洗浄タンク装置にあっては、従来別々の部材として構成されていた導水管ホルダと消音部材とが一体の部材として構成されているため、所要部品点数が少なくなって部材コストを低減でき、ひいては洗浄タンク装置のコストを低減することができる。
【００１７】
更にまたこの洗浄タンク装置にあっては、インナータンクの蓋を省略していることから、その蓋のためのコストをさらに低減することができるとともに、橋架部材がインナータンクの前壁部と後壁部とを連結していることから、インナータンクにおける変形をその橋架部材によって防止することができる。
【００１８】
即ち、前壁部と後壁部とを連結する橋架部材によってインナータンクが補強されるとともに、その橋架部材によってインナータンクが形状拘束ないし形状矯正され、これによってインナータンクの変形に基づく上記不都合の発生を回避することができる。
詳しくは、インナータンクの変形によって浮玉の円滑な昇降運動が阻害されたり、また各種の部品のインナータンクに対する相対的な組付位置が変化してしまったり、或いはまた作用レバーがインナータンクに干渉してしまったり、更にはまたインナータンクの容量が変化してしまうといった各種の不都合を解決することができる。
【００１９】
次に請求項２のものは、上記導水管ホルダと、手洗鉢の底部の排水孔からの排水を大洗浄及び小洗浄切替用の水受カップの外に導く導水部材とを橋架部材に一体に成形したものである。
従来にあってはこの導水管ホルダと導水部材とを別々の部材として構成しているが、本発明に従いそれらを一体成形品として構成することにより、所要部品点数が少なくなって部材コストを低減でき、ひいては洗浄タンク装置のコストを低減することができる。
更にまたこの請求項２の洗浄タンク装置にあっても、インナータンクの前壁部と後壁部とを橋架部材で連結し補強しており、これによりインナータンクの変形に起因する上記各種の不都合を解決することができる。
【００２０】
本発明においては、上記橋架部材の両端部にフックを設けておき、それらフックをインナータンクの前壁部と後壁部とに掛止するようになすことができる（請求項３）。
このようにすることで簡単に橋架部材をインナータンクに装着することができる。
【００２１】
【実施例】
次に本発明の実施例を図に基づいて詳しく説明する。
図１ないし図３において、１０は洗浄タンクで陶器製のアウタータンク１０−１と、その内側の樹脂製のインナータンク１０−２との二重タンク構造をなしている。
アウタータンク１０−１の上部には、その蓋を兼用した陶器製の手洗鉢１２が設けられており、この手洗鉢１２から手洗吐水管１４が起立する形態で設けられている。
手洗鉢１２の底部には排水孔１６が設けられており、手洗吐水管１４から吐水された手洗水が、この排水孔１６から洗浄タンク１０内部へと落下する。
【００２２】
洗浄タンク１０の内部にはボールタップ１８が配設されている。このボールタップ１８は、弁部が連動アーム２０を介して浮玉２２に連結されており、浮玉２２の昇降によって弁部を開閉し、その弁部の開閉によって給水及び給水停止を行う。
このボールタップ１８には、洗浄タンク１０内に給水を行うための吐水口２４が設けられており、更に図２及び図４に示しているように、このボールタップ１８からは手洗吐水管１４への給水を行うための蛇腹管から成る導水管２６が延び出していて、その先端部が手洗吐水管１４に差込接続されている。
【００２３】
洗浄タンク１０の底部には、フロート弁（排水弁）２８が配設されている。
このフロート弁２８は、球状の弁体３０と弁座３２とを有しており、その弁体３０が弁座３２から浮き上がることによって排出口３４を開放し、また弁体３０が弁座３２に着座することによって排出口３４を閉鎖する（図１参照）。
【００２４】
一方洗浄タンク１０の側壁部には、洗浄ハンドル３６が回転可能に取り付けられている。
この洗浄ハンドル３６からはＬ字状をなす作用レバー３８が洗浄タンク１０内部に延び出しており、その先端とフロート弁２８の弁体３０とが、鎖４０によって水受カップ４２を介し連結されている。
ここで水受カップ４２と弁体３０とは一体に上下動するようになっており、更にまた水受カップ４２には円筒部４４が設けられていて、その円筒部４４がオーバーフロー管４６に上下摺動可能に外嵌されている。
水受カップ４２及び弁体３０は、これら円筒部４４及びオーバーフロー管４６の案内の下に上下動する。
【００２５】
図７に水受カップ４２の内部構造が示してある。
図示のように水受カップ４２の底部４８には、中心部より半径方向にずれた位置に水抜孔５０が形成されており、この水抜孔５０が大洗浄，小洗浄切替用の切替弁５２にて開閉されるようになっている。
切替弁５２は、筒体５４とその内部に上下に摺動可能に挿通された弁軸５６とを有しており、その弁軸５６の下端部に弁体５８が設けられていて、その弁体５８がスプリング６０により図中下向きに付勢されている。
この切替弁５２の筒体５４からは、水平方向に回転軸６２が突き出しており、その回転軸６２が水受カップ４２に形成された軸孔６４に回転可能に嵌合されている。
【００２６】
即ち切替弁５２全体が、図７（Ａ）中二点鎖線で示す位置と実線で示す位置との間で回転軸６２周りに揺動可能とされている。
図７（Ａ）において、二点鎖線は大洗浄の際の状態を表しており、また実線は小洗浄の際の状態を表している。
具体的には、大洗浄時には鎖４０が図７（Ａ）のＤで示す方向に引っ張られ、このとき切替弁５２は弁体５８が水抜孔５０から同図中左方向に外れた状態となって水抜孔５０が開放され、これにより水受カップ４２内部に収容されていた水が水抜孔５０から外部に抜き出され、水受カップ４２内部が空の状態となる。
【００２７】
この場合フロート弁２８は、このような水受カップ４２を設けていないときとほぼ同様に開閉動作する。
即ち、弁体３０は鎖４０によって上昇端まで引っ張り上げられて排出口３４を開放し、これによって洗浄タンク１０内部の洗浄水が便器に向けて放出される。そして洗浄水が放出された後は、その水面とともに下降して再び排出口３４を閉鎖する。
このとき洗浄タンク１０内の大量の洗浄水が便器に向けて放出され大洗浄を行う。
【００２８】
一方、小洗浄時には鎖４０が図７（Ａ）のＳで示す方向に引っ張り上げられる。このとき弁体５８は僅かに引き上げられて一時的に水抜孔５０を開くが、洗浄ハンドル３６に加えていた操作力を除くとスプリング６０の付勢力で速やかに水抜孔５０を閉鎖する。
従って水受カップ４２内部の水は水抜孔５０から抜き出されることはなく、そのまま水受カップ４２内部に保持される。
【００２９】
この場合水受カップ４２が弁体３０に対する錘として作用し、このため弁体３０は、洗浄タンク１０内の水が小洗浄に必要な量だけ流れ出たところで、速やかに弁座３２に着座し、排出口３４からの洗浄水の放出を停止させる。
尚、この水受カップ４２による大洗浄，小洗浄の切替については特開平１０−１３１２５７に詳しく開示されているので、ここでは更に詳しい説明は省略する。
【００３０】
図１及び図２に示しているように、インナータンク１０−２はその上端が蓋によって覆蓋されない開放形状のままとされている。
而して本例においては、手洗鉢１２における排水孔１６の下の位置において橋架部材６６が配設されている。
この橋架部材６６は、図１に示しているようにインナータンク１０−２の左右中央位置において、インナータンク１０−２の前壁部と後壁部とに跨って設けられており（図２参照）、それら前壁部と後壁部とを部分的に連結している。
詳しくは、図６に示しているようにこの橋架部材６６の各端部にはフック６８が設けられていて、それら一対のフック６８のそれぞれが、前壁部と後壁部の上端部に掛止されており、インナータンク１０−２の前壁部と後壁部とを左右中央位置において前後に連結している。
【００３１】
図５にも示しているように、この橋架部材６６には上記蛇腹管から成る導水管を保持する導水管ホルダ７０と消音カップ７２とが、連結部７４で連結された形態で一体に成形されている。
導水管ホルダ７０は、図６に示しているようにカップ７６の下側に嵌合孔７８を有しており、その嵌合孔７８内部に導水管の先端部を挿入させて、これを保持するようになっている。
この導水管ホルダ７０はアーム８０を有していて、そのアーム８０に上記フック６８が形成されている。
尚カップ７６で受けた水は、その底面から側面に至る開口８２を通じて外部に流出する。
また、上記の連結部７４には、この開口８２に続く形で溝８４が形成されている。
【００３２】
消音カップ７２は、壁部８６，８８と底部９０とを有するカップ状のもので、底部９０が図６（Ｂ）中左端に向って下向きに傾斜ないし湾曲形状をなしており、更に導水管ホルダ７０と反対側の壁部８８の下部に開口９２が形成されている。
図２に示しているように、消音カップ７２は排水孔１６のほぼ直下に位置しており、排水孔１６から落下した水を図２中左向きに流して、これをインナータンク１０−２の前壁部に流し当てる。
即ち排水孔１６からの水をインナータンク１０−２の前壁部に案内し、そしてその前壁部に沿って図２中下向きに流下させる。
これにより、排水孔１６から落下した水がそのまま洗浄タンク１０内に収容されている洗浄水中に流れ落ち、落水音を発生させるのを防止することができる。
【００３３】
消音カップ７２はまた、排水孔１６から落下した水を上記水受カップ４２の外に導く導水部材としての働きも有する。
即ち、排水孔１６からの水がそのまま水受カップ４２内部に入り込むと、水受カップ４２本来の働きが阻害されることから、これを防止すべく消音カップ７２が排水孔１６からの水を水受カップ４２の外に導くようにしている。
【００３４】
以上のような本例の洗浄タンク装置では、従来別々の部材として構成されていた導水管ホルダ７０と消音カップ７２、更には導水部材が一体の部材として構成されているため、所要部品点数が少なくなり、洗浄タンク装置のコストを低減することができる。
【００３５】
また本例の洗浄タンク装置にあっては、インナータンク１０−２の蓋を省略しているので、その蓋のためのコストをさらに低減することができるとともに、橋架部材６６がインナータンク１０−２の前壁部と後壁部とを連結しているので、インナータンク１０−２における変形をその橋架部材６６によって防止することができ、これによりインナータンク１０−２の変形によって浮玉２２の円滑な昇降運動が阻害されたり、また各種の部品のインナータンク１０−２に対する相対的な組付位置が変化してしまったり、或いはまた作用レバー３８がインナータンク１０−２に干渉したり、更にはまたインナータンク１０−２の容量が変化してしまうといった各種の不都合を解決することができる。
【００３６】
また本例では上記橋架部材６６の両端部のフック６８をインナータンク１０−２の前壁部と後壁部とに掛止することで簡単に橋架部材６６をインナータンク１０−２に装着することができる。
【００３７】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である洗浄タンク装置の正面断面図である。
【図２】同じ実施例の洗浄タンク装置の一部切欠側面図である。
【図３】同じ実施例の洗浄タンク装置の平面図である。
【図４】同じ実施例の洗浄タンク装置を各部材に分解して示す図である。
【図５】同じ実施例の洗浄タンク装置における橋架部材の斜視図である。
【図６】図５の橋架部材の平面図及び側面断面図である。
【図７】同じ実施例の洗浄タンク装置における水受カップの内部構造を示す図である。
【図８】従来の洗浄タンク装置の正面断面図である。
【図９】図８の洗浄タンク装置における導水管ホルダをその周辺部とともに示す図である。
【図１０】図８とは異なる従来の洗浄タンク装置の例を示す図である。
【符号の説明】
１０  洗浄タンク
１０−１  アウタータンク
１０−２  インナータンク
１２  手洗鉢
１４  手洗吐水管
１６  排水孔
１８  ボールタップ
２６  導水管
２８  フロート弁（排水弁）
４２  水受カップ
６６  橋架部材
６８  フック
７０  導水管ホルダ
７２  消音カップ（消音部材，導水部材）
【図１】
0003683804.tif 000002
【図２】
0003683804.tif 000003
【図３】
0003683804.tif 000004
【図４】
0003683804.tif 000005
【図５】
0003683804.tif 000006
【図６】
0003683804.tif 000007
【図７】
0003683804.tif 000008
【図８】
0003683804.tif 000009
【図９】
0003683804.tif 000010
【図１０】
0003683804.tif 000011